(57)【要約】【課題】レッグレスト及びフットレストが下降や格納された際、シートクッションの前側にフットレストが露出しない足元空間が現出される車両用シート装置を提供する。【解決手段】シート４に上昇使用状態と下降状態に揺動自在に支持されたレッグレスト１１と、レッグレスト１１に支持されたフットレスト１２とを備えている。レッグレスト１１とフットレスト１２とに亘り、フットレスト１２を、レッグレスト１１の前方に展開した使用状態と、レッグレスト１１の裏面側に位置した格納状態とに切換え自在に支持する支持手段２０を備えてある。【選択図】図２
2007222470.tif 000002
【特許請求の範囲】
【請求項１】
シートに上昇使用状態と下降状態に揺動自在に支持されたレッグレストと、
前記レッグレストに支持されたフットレストとを備えている車両用シート装置であって、
前記レッグレストと前記フットレストとに亘り、前記フットレストを、前記レッグレストの前方に展開した使用状態と、前記レッグレストの裏面側に位置した格納状態とに切換え自在に支持する支持手段を備えてある車両用シート装置。
【請求項２】
前記レッグレストに、弾性レッグ支持面を備えてある請求項１記載の車両用シート装置。
【請求項３】
前記支持手段が、
前記フットレストが開き状態と畳み状態に回動自在に支持されるように前記フットレストと前記レッグレストの一方に設けた連結筒部と、他方に設けられるとともに前記連結筒部が回動自在に外嵌された支軸とを備え、
前記フットレストを前記開き状態及び前記畳み状態に位置決めする状態に係合し合うよう前記連結筒部と前記支軸との一方に設けた凸部と、他方に設けた凹部とを備えてある請求項１又は２記載の車両用シート装置。
【請求項４】
前記支持手段が、
前記レッグレストにレッグレスト前後方向に位置変更自在に連結された支持杆と、
前記フットレストに設けた連結筒部と、
前記支持杆に設けられるとともに前記連結筒部が回動自在に外嵌されて、前記フットレストを開き状態と畳み状態に回動自在に支持する支軸とを備え、
前記フットレストを前記開き状態及び前記畳み状態に位置決めする状態に係合し合うよう前記連結筒部と前記支軸との一方に設けた凸部と、他方に設けた凹部とを備えてある請求項１又は２記載の車両用シート装置。
【請求項５】
前記凸部が前記連結筒部又は前記支軸に転動自在に支持された球体である請求項３又は４記載の車両用シート装置。
【請求項６】
シートに対して上昇使用状態と下降状態との間を移動可能に支持されるレッグレストと、
前記レッグレストの前方に位置する使用状態と前記レッグレストの裏面側に位置する状態との間を移動可能に支持されるフットレストと、
を備えた車両用シート装置。
【発明の詳細な説明】
【技術分野】
【０００１】
本発明は、上昇使用状態と下降状態に揺動自在に支持されたレッグレストと、フットレストとを備えている車両用シート装置に関する。
【背景技術】
【０００２】
車両用シート装置として、従来、例えば特許文献１に示されるものがあった。
特許文献１に示されるものは、シートクッションパッド２１の前端部が座部から屈伸自在に延出されており、このパッド前端部は、座部からシート前方向きに延出してレッグレストとして使用される上昇状態と、座部からシート下方向きに延出した下降状態とに切り換えることができる。また、フットプレート４１（レッグレストに相当）を備えている。このフットプレート４１は、テレスコープエレメント３２，３３，３４を介して支持されており、パッド前端部の前方に展開した使用状態と、パッド前端部の表面側に位置した格納状態とに切り換えることができるものである。
【０００３】
【特許文献１】ＵＳ  ２００３／０２０９９３３  Ａ１
【発明の開示】
【発明が解決しようとする課題】
【０００４】
上記した従来の技術事項を採用すると、レッグレスト及びフットレストを下降や格納してシートの足元付近を空けることが可能なシート装置を得ることができる。しかし、このシート装置にあっては、レッグレスト及びフットレストを下降や格納した場合、フットレストが下降状態のレッグレストの表面側に位置した状態になり、シートの足元付近に現出される空間がフットレストの露出した見栄えの悪い空間になりがちであった。
【０００５】
本発明の目的は、レッグレスト及びフットレストを見栄えのよい足元空間が現出される状態に下降や格納することができる車両用シート装置を提供することにある。
【課題を解決するための手段】
【０００６】
本第１発明にあっては、シートに上昇使用状態と下降状態に揺動自在に支持されたレッグレストと、前記レッグレストに支持されたフットレストとを備えている車両用シート装置において、前記レッグレストと前記フットレストとに亘り、前記フットレストを、前記レッグレストの前方に展開した使用状態と、前記レッグレストの裏面側に位置した格納状態とに切換え自在に支持する支持手段を備えてある。
【０００７】
本第1発明の構成によると、レッグレストを下降状態に、フットレストを格納状態にそれぞれ切り換えると、レッグレストが上昇使用状態よりも下降して支持された状態になり、フットレストがレッグレストの裏面側に位置して支持された状態になる。これにより、レッグレスト及びフットレストがシートの前側を極力空ける状態にして、かつ、レッグレストの表面側にフットレストが存在しない状態にしてレッグレスト及びフットレストを下降や格納することができる。
【０００８】
従って、レッグレスト及びフットレストを下降や格納してシートの前側を空けることができるものでありながら、レッグレスト及びフットレストを下降や格納した際、レッグレストの表面側にフットレストが存在しなくて見栄えがよい足元空間を現出することができる。
【０００９】
本第２発明にあっては、前記レッグレストに、弾性レッグ支持面を備えてある。
【００１０】
本第２発明の構成によると、レッグレスト及びフットレストを下降や格納すると、レッグレストの弾性レッグ支持面がシートの足元付近で前向き状態になり、かつ、レッグレストの弾性レッグ支持面の前側にフットレストが存在しない状態になる。これにより、シートに着座した場合など、格納状態のフットレストに足が触れ難くなる。また、下降状態のレッグレストに足が触れても、弾性レッグ支持面のために不快感を生じることがない。
【００１１】
従って、レッグレスト及びフットレストを下降や格納した際、レッグレストの表面側にフットレストが存在しなくて見栄えがよいのみならず、足が触れても不快感を持ち難くて使用しやすい足元空間を現出することができる。
【００１２】
本第３発明にあっては、前記支持手段が、前記フットレストが開き状態と畳み状態に回動自在に支持されるように前記フットレストと前記レッグレストの一方に設けた連結筒部と、他方に設けられるとともに前記連結筒部が回動自在に外嵌された支軸とを備え、前記フットレストを前記開き状態及び前記畳み状態に位置決めする状態に係合し合うよう前記連結筒部と前記支軸との一方に設けた凸部と、他方に設けた凹部とを備えてある。
【００１３】
本第３発明の構成によると、フットレストが回動操作されると、連結筒部と支軸が相対回動して凸部と凹部が相対移動していき、フットレストが開き状態や畳み状態に切り換わると、これに伴って凸部と凹部が係合し合い、これによってフットレストが開き状態及び畳み状態に自ずと位置決めされる。
【００１４】
従って、フットレストを使用や格納する際、フットレストを回動操作するだけで操作簡単に開き状態や畳み状態に位置決めすることができ、使用及び格納状態に楽に切り換えることができる。
【００１５】
本第４発明にあっては、前記支持手段が、前記レッグレストにレッグレスト前後方向に位置変更自在に連結された支持杆と、前記フットレストに設けた連結筒部と、前記支持杆に設けられるとともに前記連結筒部が回動自在に外嵌されて、前記フットレストを開き状態と畳み状態に回動自在に支持する支軸とを備え、前記フットレストを前記開き状態及び前記畳み状態に位置決めする状態に係合し合うよう前記連結筒部と前記支軸との一方に設けた凸部と、他方に設けた凹部とを備えてある。
【００１６】
本第４発明の構成によると、支持杆をレッグレストに対して前後方向に位置変更すると、レッグレストに対してフットレストを位置調節することができる。
【００１７】
フットレストが回動操作されると、連結筒部が支軸に対して回動し、凸部と凹部とが相対移動する。フットレストが開き状態あるいは畳み状態に切り換わると、これに伴って凸部と凹部が係合し合い、フットレストの姿勢が固定される。
【００１８】
フットレストに連結筒部を設け、支軸を支持杆に設けたことで、支持手段の構造を簡単にしながら、レッグレストのフットレストに対する位置調節を容易なものとし、かつ、姿勢を安定させることができる。
【００１９】
従って、本第４発明によると、支持手段の構造が簡単でありながら、フットレストを体格に合った取り付け位置に容易に調節することができ、かつ、フットレストの開き状態及び畳み状態を簡単に設定することができる。
【００２０】
本第５発明にあっては、前記凸部が前記連結筒部又は前記支軸に転動自在に支持された球体である。
【００２１】
本第５発明の構成によると、フットレストを回動操作して開き状態及び畳み状態に切り換える際、凸部が連結筒部と支軸の間で転動して連結筒部と支軸をスムーズに相対回動させ、フットレストを軽く回転操作することができる。
【００２２】
従って、フットレストを使用及び格納する際、フットレストの開き状態及び畳み状態の切換えが容易なうえ、さらに、フットレストの操作力を軽減することができる。
【００２３】
また、位置決め手段としての凸部を操作力軽減手段に利用して構造の簡略化を達成し、コスト面で有利に得ることができる。
【００２４】
本第６発明にあっては、車両用シート装置において、シートに対して上昇使用状態と下降状態との間を移動可能に支持されるレッグレストと、前記レッグレストの前方に位置する使用状態と前記レッグレストの裏面側に位置する状態との間を移動可能に支持されるフットレストとを備えてある。
【００２５】
本第６発明の構成によると、フットレストをレッグレストの裏面側に位置する状態とすることができる。これにより、フットレストを格納した際、レッグレストの裏面側にフットレストが存在しなくて見栄えがよい足元空間を現出することができる。
【発明を実施するための最良の形態】
【００２６】
以下、本発明の実施例を図面に基づいて説明する。
本発明の車両用シート装置は、図１に示すように、シートクッション１と、このシートクッション１の後部に起伏調節自在に連結されたシートバック２と、このシートバック２の上部に連結されたヘッドレスト３を備えたヘッドレスト付きシート４を備え、さらに、このシート４の前記シートクッション１の前部に支持されたレッグレスト１１などを備えたオットマン装置１０を備えている。
【００２７】
この車両用シート装置は、シートクッション１の下部に位置する連結装置５によって乗用車両の床面上に取り付けてある。
【００２８】
図１に示すように、前記オットマン装置１０には、前記レッグレスト１１、及び、このレッグレスト１１に支持されたフットレスト１２を備えてある。フットレスト１２は、左右一対の支持杆２１を備えた支持手段２０を介してレッグレスト１１に取付けてある。
【００２９】
レッグレスト１１は、レストフレーム（図示せず）、クッション材（図示せず）、レストフレーム及びクッション材を覆う表皮材などを組み合わせて構成してある。レッグレスト１１の表側面には、足への接触をソフトにし、柔軟性ある支持作用を奏する弾性のレッグ支持面１１ａが構成してある。
【００３０】
図２に示すように、レッグレスト１１の一端側にブラケット１３を介して設けた回転支軸１４を、シートクッション１の前端側下部に位置するシートフレーム６に回転自在に連結してある。これにより、レッグレスト１１は、図２（ｂ）に示す上昇使用状態と、図２（ａ）に示す下降状態とに切り換えることができる。
【００３１】
すなわち、図２（ｂ）に示すように、レッグレスト１１は、回転支軸１４が備えるシート横向きの昇降軸芯Ｐ１まわりで上昇揺動自在である。レッグレスト１１は、シートクッション１の前端部からシート前方向きに延出するとともに、レッグ支持面１１ａが上向きになった上昇使用状態になる。図２（ａ）は、レッグレスト１１を昇降軸芯Ｐ１まわりで下降揺動させた状態である。レッグレスト１１は、シートクッション前端部内の格納スペース７に収容され、レッグ支持面１１ａがシート前方向き面になった下降状態になる。
【００３２】
回転支軸１４とシートフレーム６の間には、ラチェット爪などを利用したレッグレストロック手段（図示せず）を設けてある。このラチェット爪が回転支軸１４にロック作用し、レッグレスト１１が上昇使用状態や下降状態にロックされる。また、レッグレストロック手段は、レッグ支持面１１ａを、上向きや前方上方向きに角度調節することができる。
【００３３】
図１〜４に示すように、フットレスト１２をレッグレスト１１に支持させている前記支持手段２０には、前記左右一対のレッグレスト前後向きの支持杆２１を備える他、レッグレスト１１の裏面側に設けた左右一対の支持杆ホルダ２２、前記左右一対の支持杆２１の先端側に連結されたフットレスト横向きの支軸２３、フットレスト１２の一端側に設けた連結筒部２４を備えてある。
【００３４】
前記各支持杆２１は、レッグレスト上下方向視でコ字状に折り曲げ成形された折り曲げ円形鋼管材の端部によって構成し、前記支軸２３は、前記折り曲げ円形鋼管材の中間部によって構成してある。
【００３５】
レッグレスト１１の前記左右一対の支持杆ホルダ２２には、前記左右一対の支持杆２１が各別に連結されている。各支持杆ホルダ２２には、支持杆２１がレッグレスト前後方向に位置変更できるようにスライド自在に連結されている。各支持杆２１を支持杆ホルダ２２に対して位置変更した際、一方の支持杆ホルダ２２と支持杆２１の間に設けたラチェット爪など利用の支持杆ロック手段（図示せず）によって調節位置に固定することができる。前記支持杆ロック手段は、レッグレスト１１の横側部に位置するロック解除具２５（図１参照）によってロック解除状態に切換え操作することができる。
【００３６】
図４に示すように、フットレスト１２の前記連結筒部２４は、フットレスト１２を構成している板材の端部を前記支軸２３に回動自在に外嵌した状態に曲げ形成するとともに広がり止めリベット２６を装着することによって構成してある。これにより、連結筒部２４は、支軸２３が備えるレッグレスト横向きの軸芯Ｐ２まわりで回動操作できる。
【００３７】
図３，４に示すように、連結筒部２４の内周面側には、軸芯Ｐ２の長手方向に沿った複数箇所に配置した凸部２７を設けてある。一方、支軸２３の外周面側には、前記各凸部２７が各別に係入できるよう複数の溝形の凹部２８を設けてある。フットレスト１２が回動操作されると、各凸部２７が凹部２８の内部を摺動する。図４に実線で示す如くフットレスト１２が支持杆２１に対して起立し、足受け面１２ａが前方上方向きの状態になると、各凸部２７が凹部２８の一端側にある内壁面に当接する。これにより、フットレスト１２が開き状態に位置決めされる。図４に二点鎖線で示す如くフットレスト１２を支持杆２１に対して倒伏させると、各凸部２７が凹部２８の他端側にある内壁面に当接する。これにより、フットレスト２４が畳み状態になる。
【００３８】
左右一対の支持杆２１は、支持手段２０により支持杆ホルダ２２に対してスライド操作される。図２（ｂ）に示す如く支持手段２０によってフットレスト１２をレッグレスト１１の前方に展開した使用状態で支持させたり、図２（ａ）に示す如くフットレスト１２をレッグレスト１１の裏面側に畳み状態で位置した格納状態に支持することができる。
【００３９】
オットマン装置１０を使用する場合、レッグレスト１１のレッグレストロック手段による揺動ロックを解除し、レッグレスト１１を昇降軸芯Ｐ１まわりで上昇揺動操作してシートクッション１の格納スペース７から取り出す。レッグレスト１１は、上昇使用状態に切り換わるとともにレッグレストロック手段によって上昇使用状態に固定される。続いて、左右の支持杆２１を支持杆ホルダ２２からレッグレスト前方側に引き出す。フットレスト１２がレッグレスト１１の裏面側から前方に出ると、フットレスト１２を軸芯Ｐ２まわりで畳み状態から起立側に回動操作する。このとき、連結筒部２４の凸部２７と支軸２３の凹部２８とが係合し合うまで回動操作する。これにより、フットレスト１２は、開き状態に位置決めされる。このとき、フットレスト１２は、レッグ支持面１１ａよりもレッグレスト１１の厚みだけ引退した位置で回動する。このため、レッグレスト１１に脚を載せた状態でフットレスト１２を展開操作する場合、足がフットレスト回動の障害になりにくい。フットレスト１２が展開すると、オットマン装置１０は、レッグ支持面１１ａとフットレスト１２の足受け面１２ａとによって脚を受け止め支持する使用状態になる。このとき、左右の支持杆２１を支持杆ホルダ２２に対して出し入れ操作し、その取り付け位置を調節することにより、フットレスト１２を体格に合った取り付け位置に調節して適切に使用することができる。
【００４０】
オットマン装置１０を使用しない場合、フットレスト１２を軸芯Ｐ２まわりで開き状態から畳み状態の側に回動操作する。このとき、連結筒部２４の凸部２７と支軸２３の凹部２８とが係合し、フットレスト１２は、畳み状態に位置決めされる。フットレスト１２が畳み状態になると、支持杆ロック手段による支持杆２１のスライドロックを解除し、左右の支持杆２１を支持杆ホルダ２２に押し込み操作する。フットレスト１２は、支軸２３及び左右の支持杆２１と共にレッグレスト１１の裏面側に畳み状態で位置する。続いて、レッグレスト１１のレッグレストロック手段による揺動ロックを解除してレッグレスト１１を昇降軸芯Ｐ１まわりで下降揺動操作する。レッグレスト１１は、シートクッション１の格納スペース７に収容され、下降状態となる。これにより、シートクッション１の前方に、レッグレスト１１のレッグ支持面１１ａが前方に向いた状態の足元空間が得られる。
【００４１】
図５は、別の実施構造を備えた支持手段２０を示す。この支持手段２０にあっては、フットレスト１２の連結筒部２４の内周面側で、軸芯Ｐ２の長手方向に沿った複数箇所に球体を設けてある。支軸２３の外周面側には、各凸部２７が各別に係入する複数の溝形の凹部２８を設けてある。球体は、連結筒部２４の凸部２７を構成して、支軸２３に対して転動可能であり、連結筒部２４と共に支軸２３に対して移動する。
【００４２】
この構成により、連結筒部２４が支軸２３に対してスムーズに回動して、フットレスト１２の回動操作が軽く行える。図５に実線で示す如くフットレスト１２が支持杆２１に対して起立して足受け面１２ａで足を受け止め支持するように開き状態になると、各凸部２７が凹部２８の一端側にある内壁面に当接する。これにより、フットレスト１２が前記開き状態に位置決めされる。一方、図５に二点鎖線で示す如く、各凸部２７が凹部２８の他端側にある内壁面に当接すると、フットレスト１２が支持杆２１に対して倒伏し、足受け面１２ａが支持杆２１に沿った畳み状態になる。
【００４３】
〔別実施例〕
上記各実施例の如くフットレスト１２に連結筒部２４を設け、連結筒部２４が外嵌する支軸２３を支持杆２１に設けた構成に替えて、支持杆２１に連結筒部を設け、この連結筒部が外嵌する支軸をフットレスト１２に設けた構成としても、本発明の目的を達成することができる。また、上記各実施例の如く連結筒部２４に凸部２７を設け、支軸２３に凹部２８を設けた構成に替えて、支軸２３に凸部を設け、連結筒部２４に凹部を設けた構成としても、本発明の目的を達成することができる。
【図面の簡単な説明】
【００４４】
【図１】車両用シート全体の斜視図
【図２】（ａ）は、オットマン装置のフットレスト格納状態での側面図、（ｂ）は、オットマン装置の使用状態での側面図
【図３】フットレストの正面図
【図４】連結筒部及び支軸の横断面図
【図５】別の実施構造を備えた連結筒部及び支軸の横断面図
【符号の説明】
【００４５】
４          シート
１１        レッグレスト
１２        フットレスト
２０        支持手段
２１        支持杆
２３        支軸
２４        連結筒部
２７        凸部
２８        凹部
【図１】
2007222470.tif 000003
【図２】
2007222470.tif 000004
【図３】
2007222470.tif 000005
【図４】
2007222470.tif 000006
【図５】
2007222470.tif 000007